(57)【要約】【課題】  信号遅延が発生せず、応答速度が速いソースドライバを備えた液晶表示装置を提供する。【解決手段】  本発明の液晶表示装置は、入力される階調データに対応するアナログ信号を出力するＤ／Ａコンバータと、三角波信号を出力する三角波発生器と、前記アナログ信号と前記三角波信号とを比較して、ＯＣＢ液晶セルを含む画素各々にデータ電圧を印加する比較器とを含むソースドライバを備える。前記データ電圧は、電圧幅が可変となるＰＷＭパルスである。【選択図】  図４
2006209053.tif 000002
【特許請求の範囲】
【請求項１】
多数のスキャンラインと多数のデータラインとが交差する領域に位置し、共通電極、画素電極及びＯＣＢ液晶よりなるＯＣＢ液晶セルを含む多数の画素を含む液晶表示パネルと；
前記多数のスキャンラインを介して前記多数の画素を選択するためのスキャン信号を印加するスキャンドライバと；
前記多数のデータラインを介して前記多数の画素に多数のパルス波形を順次印加するソースドライバと；
前記液晶表示パネルに光源を印加するバックライト部と；
前記バックライト部にバックライト電圧を印加する光源制御器と；
前記スキャンドライバ、前記ソースドライバ及び前記光源制御器の動作を制御するための制御信号を印加するタイミング制御部と；を備え、
前記ソースドライバは、
入力される階調データに対応するアナログ信号を出力するＤ／Ａコンバータと、三角波信号を出力する三角波発生器と、
前記アナログ信号と前記三角波信号とを比較して、前記データ電圧を印加する比較器と、を含むことを特徴とする液晶表示装置。
【請求項２】
前記比較器は、前記アナログ信号と前記三角波信号との比較の結果、前記三角波信号が前記アナログ信号よりも大きい場合、前記比較器の駆動電圧ＶＤＤを出力することを特徴とする請求項１に記載の液晶表示装置。
【請求項３】
前記比較器は、前記アナログ信号と前記三角波信号との比較の結果、前記三角波信号が前記アナログ信号よりも小さい場合、前記比較器の基準電圧ＧＮＤを出力することを特徴とする請求項２に記載の液晶表示装置。
【請求項４】
前記データ電圧は、前記アナログ信号の大きさによって幅が可変となることを特徴とする請求項１に記載の液晶表示装置。
【請求項５】
前記データ電圧は、前記三角波信号の大きさによって幅が可変となることを特徴とする請求項１に記載の液晶表示装置。
【請求項６】
前記三角波発生器は、ファンクションジェネレータであることを特徴とする請求項１に記載の液晶表示装置。
【請求項７】
前記三角波発生器は、球形波を生成する球形波発振器と、前記球形波を積分する積分器と、を含むことを特徴とする請求項１に記載の液晶表示装置。
【請求項８】
前記液晶表示装置は、駆動の初期に前記ＯＣＢ液晶をベンド転移させるための電圧を前記共通電極に印加するＤＣ−ＤＣコンバータをさらに備えることを特徴とする請求項１に記載の液晶表示装置。
【請求項９】
前記バックライト部は、レッド、グリーン及びブルーの光を順次発光するレッドＬＥＤ、グリーンＬＥＤ及びブルーＬＥＤから構成されることを特徴とする請求項１に記載の液晶表示装置。
【請求項１０】
前記バックライト部は、ホワイト光を発光するホワイトＬＥＤまたはＣＣＦＬであることを特徴とする請求項１に記載の液晶表示装置。
【請求項１１】
前記液晶表示装置は、前記バックラト部から発光する光をフィルタリングするレッド、グリーン及びブルーカラーのフィルタをさらに備えることを特徴とする請求項１０に記載の液晶表示装置。
【請求項１２】
前記各々の画素は、
前記スキャンラインを介して伝達されるスキャン信号に応答して、前記データラインを介して伝達される前記データ電圧を前記ＯＣＢ液晶セルの前記画素電極に伝達するスイッチングトランジスタと、
前記データ電圧と前記共通電極との電圧差に該当する電荷を蓄積する蓄積キャパシタと、
をさらに含むことを特徴とする請求項１に記載の液晶表示装置。
【発明の詳細な説明】
【技術分野】
【０００１】
本発明は、液晶表示装置に関し、より詳細には、信号遅延が発生せず、応答速度が速いソースドライバを備えた液晶表示装置に関する。
【背景技術】
【０００２】
最近、パソコンやテレビなどの軽量、薄形化に伴って、ディスプレイ装置も軽量化、薄形化が要求されてきている。このような要求に応じて、陰極線管（cathode ray tube：ＣＲＴ）の代わりに、液晶表示装置（liquid crystal display：ＬＣＤ）のような平板型ディスプレイが開発されている。
【０００３】
液晶表示装置は、２つの基板間に注入されている異方性誘電率を有する液晶物質に電界（electric field）を印加し、この電界の強さを調節して、外部の光源（バックライト）から基板に透過される光の量を調節することによって、所望の画像信号を得る表示装置である。
【０００４】
一般的に、液晶表示装置（ＬＣＤ）は、陰極線管に比べて極めて薄く、軽く、且つ電力消費が少ないことから、携帯電話、コンピュータ及びＰＤＡなどのような携帯型情報機器の画面表示素子として広く用いられており、電磁波の放出が少なくて、現在ディスプレイ分野において主流となっている。
【０００５】
このような液晶表示装置は、携帯が簡便な平板型ディスプレイの中で代表的なものであって、これらのうち、薄膜トランジスタ（thin film transistor：ＴＦＴ）をスイッチング素子として利用したＴＦＴ−ＬＣＤが主に用いられている。
【０００６】
一般的に、液晶表示装置は、カラーイメージを表示する方式によって、大きく、カラーフィルタ（color filter)方式と、フィールド順次（field sequential）駆動方式とに分けられる。
【０００７】
カラーフィルタ方式の液晶表示装置は、２つの基板の一方の基板にレッド（Ｒ）、グリーン（Ｇ）、ブルー（Ｂ）の３原色よりなるカラーフィルタ層を形成し、このカラーフィルタ層に透過される量を調節することによって、所望の画像を表示する。また、カラーフィルタ方式のＬＣＤは、単一の光源から照射される光をＲ、Ｇ、Ｂカラーフィルタ層に透過させるに際して、Ｒ、Ｇ、Ｂカラーフィルタ層に透過される光の量を調節して、Ｒ、Ｇ、Ｂ色を合成することによって、所望の画像を表示する。
【０００８】
このように、単一の光源及び３色のカラーフィルタ層を用いて画像を表示する液晶表示装置においては、Ｒ、Ｇ、Ｂの各領域毎に各々対応する単位画素が必要なので、白黒を表示する場合より３倍程度多い画素が必要となる。したがって、高解像度の画像を得るためには、液晶表示装置パネルの精巧な製造技術が要求される。また、このような液晶表示装置は、基板に別途のカラーフィルタ層を形成しなければならないという製造上の面倒さがあり、カラーフィルタ自体の光透過率が低いため、輝度が低くなる。
【０００９】
一方、フィールド順次駆動方式の液晶表示装置は、Ｒ、Ｇ、Ｂ各色の独立した光源を順次周期的に点灯し、該点灯周期に同期して、各画素に対応する色信号を加えることによって、フルカラー（full color）の画像を得る。すなわち、フィールド順次駆動方式の液晶表示装置によれば、１つの画素をＲ、Ｇ、Ｂの単位画素に分割せずに、１つの画素にＲ、Ｇ、Ｂのバックライトから出力されるＲ、Ｇ、Ｂの３原色の光を時分割的に順次表示することによって、目の残像効果を用いて画像を表示する。
【００１０】
このようなフィールド順次駆動方式は、アナログ駆動方式と、デジタル駆動方式とに分けられる。
【００１１】
アナログ駆動方式は、表示しようとする階調数に対応する複数の階調電圧を設定し、複数の階調電圧の中から階調データに相当する１つの階調電圧を選択し、選択された階調電圧で液晶パネルを駆動することによって、印加された階調電圧に対応する透過量で階調を表示する。
【００１２】
デジタル駆動方式は、液晶に印加される駆動電圧を一定にし、電圧印加時間を制御して、階調を表示する。このようなデジタル駆動方式によれば、駆動電圧を一定に維持し、電圧印加状態及び電圧非印加状態をタイミング的に制御して、液晶に透過される累積光量を調節することによって、階調を表示する。
【００１３】
上述のような液晶表示装置は、画面を見る方向によって明暗や色相が異なるので、狭い視野角を有するという短所がある。この短所を克服する方法がいろいろ提案されている。
【００１４】
例えば、ＬＣＤの視野角を向上させるためには、導光板の表面にプリズム板を取り付けることによって、バックライトから入射光の直進性を向上させ、垂直方向の輝度を３０％以上向上させる方式が実用化されてきている。また、ネガティブ（negative）光補償板を取り付けることによって、視野角を高める方法を適用しているところである。
【００１５】
また、インプレーンスイッチング（In Plane Switching）モードが開発され、上下左右の視野角が１６０゜とほとんど陰極線管水準の広視野角化が達成されたが、開口率が相対的に低くて、これに対する改善策が必要である。
【００１６】
その他、ＯＣＢ（Optically Compensated Birefringence;以下、ＯＣＢという）方式、ＰＤＬＣ（Polymer Dispersed Liquid Crystal）方式、ＤＨＦ（Deformed Helix Ferroelectric）方式などを薄膜トランジスタ（Thin Film Transistor：ＴＦＴ）で駆動して、視野角を改善する努力など多くの試みがなされている。
【００１７】
特に、ＯＣＢモードの場合、液晶応答速度が速く、広視野角の特性を有しているという長所があることから、現在研究開発が活発に進行中である。
【００１８】
図１は、一般的なＯＣＢモードの動作を説明するための液晶状態図である。
【００１９】
図１を参照すれば、上部板電極と下部板電極との間に位置する液晶の初期配向状態は、ホモジニアス状態（Homogeneous state）であり、上下部板電極に所定の電圧を印加すれば、転移スプレイ（Transient splay）及び非対称スプレイ（Asymmetric splay）を経てベンド状態（Bend state）に変換された後、ＯＣＢモードで動作する。
【００２０】
図１に示すように、一般的に、ＯＣＢ液晶セルは、傾斜角（tilt angle）が約１０〜２０゜、液晶セルの厚みが４〜７μｍとなるように製作され、配向膜を同一の方向にラビング（rubbing）する方法を適用している。液晶層の真中での液晶分子の配列は、左右対称となるので、特定の電圧以下では傾斜角が０゜であり、特定の電圧以上では、傾斜角が９０゜となるので、初期に大きい電圧を印加して、液晶層の中心部において液晶分子の傾斜角を９０゜にし、印加電圧を異にして、配向膜と液晶層の中間の液晶分子を除いた残りの液晶分子のチルト（tilt）変化により、液晶層を通る光の偏光を変調する。通常、中心部の液晶分子の傾斜角が０゜乃至９０゜に配列するのにかかる時間は数秒であり、バックフロー（Back-Flow）がなく、弾性係数が大きい反り変形であるから、反応時間は１０μｍ程度と非常に速いという特徴がある。
【００２１】
前述のような従来の液晶表示装置は、多数の画素を具備する液晶表示パネルと、前記液晶表示パネルを駆動するためのソースドライバ、スキャンドライバ及びバックライトを備える。したがって、スキャンドライバからスキャン信号が順次印加され、前記スキャン信号に同期して、ソースドライバから該当画素にデータ電圧が印加されることによって、印加された電圧に応じて液晶の透過度が変形し、この際、バックライトから液晶表示パネルに光を照射して、液晶の透過度に対応する輝度で光が発光して、映像イメージをディスプレイする。
【００２２】
図２は、従来の液晶表示装置のソースドライバを示すブロック図である。
【００２３】
図２を参照すれば、従来の液晶表示装置のソースドライバ２０は、Ｄ／Ａコンバータ（Digital to Analog Converter）２１と、増幅部／バッファ部（Amp/Buffer）２２とを含む。
【００２４】
Ｄ／Ａコンバータ２１は、映像データに該当するレッド（Ｒ）、グリーン（Ｇ）、ブルー（Ｂ）の階調データが入力され、アナログ電圧値に変換して出力する。
【００２５】
増幅部／バッファ部２２は、前記アナログ電圧値を増幅して、液晶表示パネル１０に出力する。
【００２６】
しかし、上述した従来の液晶表示装置のソースドライバ２０では、前記増幅部／バッファ部２２に含まれた出力演算増幅器Ａｍｐの技術的な限界に起因して、信号変化率（Slew Rate）が制限されるようになる。すなわち、増幅部／バッファ部２２の入力であるアナログ電圧値に対応して、増幅部／バッファ部２２の出力が予想の電圧値よりも時間遅延を持って増幅される。このような現象は、ＯＣＢモードを有する液晶表示装置のフレーム周波数（frame frequency）を制限させて、ＯＣＢモードの長所である速い応答速度を十分に発揮することができないという問題点がある。
【発明の開示】
【発明が解決しようとする課題】
【００２７】
本発明の目的は、従来の問題点を解決するために、ＰＷＭ（Pulse Width Modulation；以下、ＰＷＭという）方式の出力信号を液晶表示パネルに印加するための新しい構成のソースドライバを備えた液晶表示装置を提供することにある。
【課題を解決するための手段】
【００２８】
前記目的を達成するために、本発明の液晶表示装置は、多数のスキャンラインと多数のデータラインとが交差する領域に位置し、共通電極、画素電極及びＯＣＢ液晶よりなるＯＣＢ液晶セルを含む多数の画素を含む液晶表示パネルと；前記多数のスキャンラインを介して前記多数の画素を選択するためのスキャン信号を印加するスキャンドライバと；前記多数のデータラインを介して前記多数の画素に多数のパルス波形を順次印加するソースドライバと；前記液晶表示パネルに光源を印加するバックライト部と；前記バックライト部にバックライト電圧を印加する光源制御器と；前記スキャンドライバ、前記ソースドライバ及び前記光源制御器の動作を制御するための制御信号を印加するタイミング制御部と；を備え、
前記ソースドライバは、入力される階調データに対応するアナログ信号を出力するＤ／Ａコンバータと、三角波信号を出力する三角波発生器と、前記アナログ信号と前記三角波信号とを比較して、前記データ電圧を印加する比較器と、を含むことを特徴とする。
【発明の効果】
【００２９】
本発明の実施例による液晶表示装置は、Ｄ／Ａコンバータ、三角波発生器及び比較器を含むソースドライバを新しく構成し、ＰＷＭパルスを画素に印加することによって、従来のソースドライバに現れる出力増幅部／バッファ部の信号変化率の制限による遅い応答速度の問題点を解決し、ＯＣＢモードの速い応答速度の長所を充分に発揮することができるという効果がある。
【発明を実施するための最良の形態】
【００３０】
以下、添付の図面を参照して、本発明の好適な実施例を詳細に説明する。
【００３１】
図３は、本発明の実施例による液晶表示装置を示すブロック図である。
【００３２】
図３を参照すれば、本発明の実施例による液晶表示装置は、液晶表示パネル１００、ソースドライバ２００、スキャンドライバ３００、光源制御器４００、バックライト部５００及びタイミング制御部６００を含む。
【００３３】
液晶表示パネル１００は、多数のスキャンラインＳ１〜Ｓｎと多数のデータラインＤ１〜Ｄｍとが交差する領域に形成された多数の画素１１０から構成され、映像イメージをディスプレイする。図３の液晶表示パネル１００に、Ｎ×Ｍ個の画素の中で代表的なものとして、ｎ番目のスキャンラインＳｎ及びｍ番目のデータラインＤｍに連結された画素１１０を示した。以下、画素１１０を参照して説明する。
【００３４】
各画素１１０は、スイッチングトランジスタＭＳ、ＯＣＢ液晶セルＣＬＣ及び蓄積キャパシタＣｓｔから構成されている。
【００３５】
スイッチングトランジスタＭＳのソース端子は、データラインＤｍに連結され、前記スイッチングトランジスタＭＳのゲート端子は、スキャンラインＳｎに連結される。前記スイッチングトランジスタＭＳは、前記スキャンラインＳｎを介して印加されるスキャン信号によりオンとなり、データラインＤｍを介して印加されるデータ電圧をＯＣＢ液晶セルＣＬＣに伝達する。
【００３６】
ＯＣＢ液晶セルＣＬＣは、画素電極１１１、共通電極１１２及びこれら間のＯＣＢ液晶層から構成される。画素電極１１１は、前記スイッチングトランジスタＭＳのドレイン端子に連結され、データラインＤｍを介して伝達されたデータ電圧が印加される。共通電極１１２は、前記画素電極１１１に対向する電極であって、共通電圧Ｖｃｏｍが印加される。画素電極１１１及び共通電極１１２に印加された両端の電圧差により、ＯＣＢ液晶分子の配列状態が変化し、ＯＣＢ液晶層を通る光の偏光状態によって透過率が変わる。
【００３７】
蓄積キャパシタＣｓｔは、画素電極１１１、ストレージ電極１１３及びこれら間の誘電層から構成される。この際、前記ストレージ電極１１３は、ＯＣＢ液晶セルＣＬＣの共通電極１１２に連結される。したがって、蓄積キャパシタＣｓｔは、前記ＯＣＢ液晶キャパシタＣＬＣと並列状態に連結され、前記データ電圧と前記共通電極に入力される共通電極との電圧差に該当する電荷を一定時間蓄積する役目をする。
【００３８】
スキャンドライバ３００は、複数のスキャンラインＳ１〜Ｓｎを介してスキャン信号を順次印加し、ソースドライバ２００は、複数のデータラインＤ１〜Ｄｍを介して多数のパルス波形を該当画素に順次印加して、液晶表示パネル１００をディスプレイする。ここで、前記ソースドライバ２００で多数のパルス波形を生成し、該当画素に順次印加するための構成は、後述する。
【００３９】
タイミング制御部６００は、外部映像処理部（図示しない）から映像イメージである階調データと水平同期信号Ｈｓｙｎｃ及び垂直同期信号Ｖｓｙｎｃとが印加され、ソースドライバ２００に映像階調データ及び動作制御信号Ｓｄを出力し、スキャンドライバ３００にスキャンドライバ３００の動作を制御するための制御信号Ｓｇを出力する。また、タイミング制御部６００は、バックライト部５００が液晶表示パネル１００に光を出力するように、光源制御信号Ｓｂを光源制御器４００に提供する。
【００４０】
光源制御器４００は、タイミング制御部６００から印加されるバックライト制御信号Ｓｂにより、液晶表示パネル１００の裏面に配置されたバックライト部５００を駆動するための所定の電圧を印加する。前記バックライト部５００は、フィールド順次（Field-Sequential）駆動方式の場合、レッド、グリーン及びブルーの光を順次出力するレッドＬＥＤ、グリーンＬＥＤ及びブルーＬＥＤから構成されることができ、カラーフィルタを用いた駆動方式の場合、ホワイト光を出力するホワイトＬＥＤまたはＣＣＦＬ（Cold Cathode Fluorescence Lamp）であってもよい。また、カラーフィルタを用いた駆動方式の液晶表示装置の場合、各単位画素毎にレッド、グリーン及びブルーのカラーフィルタが共通電極上に位置する。
【００４１】
また、液晶表示装置の初期起動時に、ＯＣＢ液晶をベンド状態に転移させるための高電圧（例えば、約１５Ｖ乃至３０Ｖ）を前記液晶セルＣＬＣの共通電極１１２に印加するが、この際、液晶表示装置は、前記高電圧を共通電極１１２に印加するＤＣ−ＤＣコンバータ（図示しない）をさらに備えることができる。
【００４２】
従来、液晶表示装置のソースドライバは、Ｄ／Ａコンバータ２１及び増幅部／バッファ部２２を使用して各画素に印加されるアナログ電圧を出力したが、上述のような本発明の実施例による液晶表示装置は、ＰＷＭ方式のパルスを出力するソースドライバ２００を使用して各画素に印加することによって、従来の信号変化率（Slew Rate）の制限による信号遅延問題を引き起こす増幅部Ａｍｐを使用することなく、ＯＣＢモードの長所である応答速度を速くすることができる。以下、図４及び図５を参照して本発明の実施例による液晶表示装置のソースドライバ及びその駆動方法について詳細に説明する。
【００４３】
図４は、本発明の実施例による液晶表示装置のソースドライバを示すブロック図である。
【００４４】
図４を参照すれば、本発明の実施例による液晶表示装置のソースドライバ２００は、Ｄ／Ａコンバータ２１０と、三角波発生器２２０と、比較器２３０とを含む。
【００４５】
Ｄ／Ａコンバータ２１０は、前記タイミング制御部６００から出力されるデジタル信号である階調データが入力され、アナログ電圧を出力する。
【００４６】
三角波発生器２２０は、多様な形態の三角波を生成して出力する。三角波は、一般的にファンクションジェネレータ（Function Generator）により生成することができ、球形波を発生する球形波発振器（図示しない）及び前記球形波を積分する積分器（図示しない）を構成して三角波を生成することもできる。
【００４７】
比較器（comparator）２３０は、前記Ｄ／Ａコンバータ２１０から出力されるアナログ信号を入力とする負の入力端子（−）と、前記三角波発生器２２０から出力される三角波信号を入力とする正の入力端子（＋）と、出力端子Ｖｏｕｔと、前記比較器２３０を駆動させるための駆動電圧端子ＶＤＤ、ＧＮＤと、から構成されている。したがって、前記比較器２３０は、１フレーム期間に、前記Ｄ／Ａコンバータ２１０から出力されるアナログ信号と前記三角波発生器２２０から出力される三角波信号との電圧差を比較して、三角波信号がアナログ信号よりも大きい場合には、駆動電圧ＶＤＤを出力し、三角波信号がアナログ信号よりも小さい場合には、接地電圧ＧＮＤを出力する。したがって、前記アナログ信号の電圧の大きさによって多様なパルス幅を有するパルス信号を出力することができる。この際、出力信号の電源は、１つの駆動電源ＶＤＤのみを使用するので、演算増幅器ＡＭＰを使用する必要がなく、外部から直接に電源を印加することができる。
【００４８】
前記ＰＷＭ信号は、前記液晶表示パネル１００の各画素１１０に印加されて蓄積キャパシタＣｓｔに充填されるようになるが、この際、印加されるパルス幅に比例する電圧で充填されるので、パルス信号の幅を可変にして、液晶配列状態を変化させることで、多様な階調を表現することができる。上記のような構成を有するソースドライバ２００の動作を図５を参照して説明する。
【００４９】
図５は、本発明の実施例によるソースドライバの駆動方法を示す波形図である。
【００５０】
図５を参照すれば、ソースドライバ２００から各フレーム毎に１つの画素１１０に印加されるＰＷＭパルス信号を示す。Ｄ／Ａコンバータ２１０から出力されるアナログ信号である階調電圧と、三角波発生器２２０から出力される三角波とを比較器２３０で比較する。三角波が階調電圧よりも高い区間には、駆動電圧ＶＤＤを出力し、三角波が階調電圧よりも低い区間には、接地電圧ＧＮＤを出力することによって、パルス幅が可変となったデータ電圧を該当画素に印加する。前記ＰＷＭパルス波型のパルス幅は、前記アナログ電圧の大きさ、又は前記三角波の形態によって調節自在であり、多様な階調表現を行うことができる。
【００５１】
また、ＰＷＭパルス波形は、三角波発生器２２０から出力される多様な形態の三角波を用いて、図５の（ａ）ＰＷＭパルスが中間にある場合、（ｂ）ＰＷＭパルスが左側にある場合、及び（ｃ）ＰＷＭパルスが右側にある場合などのような多様なＰＷＭパルス信号を出力できる。
【００５２】
以上説明したように、本発明の実施例による液晶表示装置のソースドライバ２００は、従来のソースドライバと異なって、Ｄ／Ａコンバータ２１０、三角波発生器２２０及び比較器２３０を含むように新しく構成し、ＰＷＭパルスを画素に印加することによって、従来のソースドライバに現れる出力増幅部／バッファ部２２の信号変化率の制限による遅い応答速度の問題点を解決し、ＯＣＢモードの速い応答速度の長所を充分に発揮することができる。
【００５３】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図面の簡単な説明】
【００５４】
【図１】一般的なＯＣＢモードの動作を説明するための液晶状態図である。
【図２】従来の液晶表示装置のソースドライバを示すブロック図である。
【図３】本発明の実施例による液晶表示装置を示すブロック図である。
【図４】本発明の実施例による液晶表示装置のソースドライバを示すブロック図である。
【図５】本発明の実施例による液晶表示装置の駆動方法を示す波形図である。
【符号の説明】
【００５５】
１００  液晶表示パネル
２００  ソースドライバ
２１０  Ｄ／Ａコンバータ
２２０  三角波発生器
２３０  比較器
３００  スキャンドライバ
４００  光源制御器
５００  バックライト部
６００  タイミング制御部
【図１】
2006209053.tif 000003
【図２】
2006209053.tif 000004
【図３】
2006209053.tif 000005
【図４】
2006209053.tif 000006
【図５】
2006209053.tif 000007